【手続補正書】
【提出日】平成18年12月21日(2006.12.21)
【手続補正１】
【補正対象書類名】明細書
【補正対象項目名】特許請求の範囲
【補正方法】変更
【補正の内容】
【特許請求の範囲】
【請求項１】  開閉弁が開閉動する弁通路を通って内部に冷媒が導入される密閉容器内に、前記導入された冷媒を圧縮する圧縮機構部と、前記圧縮機構部を駆動する電動機要素とを備えた高圧シェルタイプの冷媒圧縮機において、
前記開閉弁に、前記開閉弁周囲の冷凍機油および前記冷媒のうち少なくとも一方による該開閉弁の閉鎖動作に対する抵抗力を低減するための前記冷凍機油および前記冷媒のうち少なくとも一方が通る抵抗力低減構造を形成してなることを特徴とする冷媒圧縮機。
【請求項２】  前記抵抗力低減構造が、前記開閉動の方向に沿って延びるように前記開閉弁の周面に形成された逃がし溝であることを特徴とする請求項１に記載の冷媒圧縮機。
【請求項３】  前記逃がし溝が、前記開閉弁の中心軸に関して所定の角度間隔に対応する前記周面上に、複数形成されたことを特徴とする請求項２に記載の冷媒圧縮機。
【請求項４】  開閉弁が開閉動する弁通路を通って内部に冷媒が導入される密閉容器内に、前記導入された冷媒を圧縮する圧縮機構部と、前記圧縮機構部を駆動する電動機要素とを備えた高圧シェルタイプの冷媒圧縮機において、
前記弁通路に、前記開閉弁周囲の冷凍機油および前記冷媒のうち少なくとも一方による該開閉弁の閉鎖動作に対する抵抗力を低減するための前記冷凍機油および前記冷媒のうち少なくとも一方が通る抵抗力低減構造を形成してなることを特徴とする冷媒圧縮機。
【請求項５】  前記抵抗力低減構造が、前記開閉動の方向に沿って延びるように前記弁通路の内周面に形成された逃がし溝であることを特徴とする請求項４に記載の冷媒圧縮機。
【請求項６】  前記開閉弁および前記弁通路の少なくとも一方に、前記密閉容器内の高圧冷媒によって、前記開閉弁の閉鎖力を増大させるための前記高圧冷媒を前記開閉弁の背面側端面に導く閉鎖補助構造がさらに形成されていることを特徴とする請求項１〜５のいずれか一つに記載の冷媒圧縮機。
【請求項７】  開閉弁が開閉動する弁通路を通って内部に冷媒が導入される密閉容器内に、前記導入された冷媒を圧縮する圧縮機構部と、前記圧縮機構部を駆動する電動機要素とを備えた高圧シェルタイプの冷媒圧縮機において、
前記開閉弁に、前記密閉容器内の高圧冷媒により前記開閉弁の閉鎖力を増大させるための前記高圧冷媒を前記開閉弁の背面側端面に導く閉鎖補助構造を形成してなることを特徴とする冷媒圧縮機。
【請求項８】  前記閉鎖補助構造が、前記開閉弁に形成された高圧冷媒導入孔または高圧冷媒導入溝であることを特徴とする請求項６または７に記載の冷媒圧縮機。
【請求項９】  前記高圧冷媒導入孔または前記高圧冷媒導入溝が、前記開閉弁の中心軸に関して所定の角度間隔に対応する前記周面上に、複数形成されたことを特徴とする請求項８に記載の冷媒圧縮機。
【請求項１０】  開閉弁が開閉動する弁通路を通って内部に冷媒が導入される密閉容器内に、前記導入された冷媒を圧縮する圧縮機構部と、前記圧縮機構部を駆動する電動機要素とを備えた高圧シェルタイプの冷媒圧縮機において、
前記弁通路に、前記密閉容器内の高圧冷媒により前記開閉弁の閉鎖力を増大させるための前記高圧冷媒を前記開閉弁の背面側端面に導く閉鎖補助構造を形成したことを特徴とする冷媒圧縮機。
【請求項１１】  前記閉鎖補助構造が、前記弁通路に形成された高圧冷媒導入孔または高圧冷媒導入溝であることを特徴とする請求項６または１０に記載の冷媒圧縮機。
【手続補正２】
【補正対象書類名】明細書
【補正対象項目名】００１３
【補正方法】変更
【補正の内容】
【００１３】
【課題を解決するための手段】
上記目的を達成するため、この発明にかかる冷媒圧縮機は、開閉弁が開閉動する弁通路を通って内部に冷媒が導入される密閉容器内に、前記導入された冷媒を圧縮する圧縮機構部と、前記圧縮機構部を駆動する電動機要素とを備えた高圧シェルタイプの冷媒圧縮機において、前記開閉弁に、前記開閉弁周囲の冷凍機油および前記冷媒のうち少なくとも一方による該開閉弁の閉鎖動作に対する抵抗力を低減するための前記冷凍機油および前記冷媒のうち少なくとも一方が通る抵抗力低減構造を形成してなることを特徴とするものである。
【手続補正３】
【補正対象書類名】明細書
【補正対象項目名】００１５
【補正方法】変更
【補正の内容】
【００１５】
つぎの発明にかかる冷媒圧縮機は、上記の発明において、抵抗力低減構造が、前記開閉動の方向に沿って延びるように前記開閉弁の周面に形成された逃がし溝であることを特徴とするものである。
【手続補正４】
【補正対象書類名】明細書
【補正対象項目名】００１９
【補正方法】変更
【補正の内容】
【００１９】
つぎの発明にかかる冷媒圧縮機は、開閉弁が開閉動する弁通路を通って内部に冷媒が導入される密閉容器内に、前記導入された冷媒を圧縮する圧縮機構部と、前記圧縮機構部を駆動する電動機要素とを備えた高圧シェルタイプの冷媒圧縮機において、前記弁通路に、前記開閉弁周囲の冷凍機油および前記冷媒のうち少なくとも一方による該開閉弁の閉鎖動作に対するための前記冷凍機油および前記冷媒のうち少なくとも一方が通る抵抗力を低減する抵抗力低減構造を形成してなることを特徴とするものである。
【手続補正５】
【補正対象書類名】明細書
【補正対象項目名】００２１
【補正方法】変更
【補正の内容】
【００２１】
つぎの発明にかかる冷媒圧縮機は、上記の発明において、抵抗力低減構造が、前記開閉動の方向に沿って延びるように前記弁通路の内周面に形成された逃がし溝であることを特徴とするものである。
【手続補正６】
【補正対象書類名】明細書
【補正対象項目名】００２３
【補正方法】変更
【補正の内容】
【００２３】
つぎの発明にかかる冷媒圧縮機は、上記の発明において、開閉弁および前記弁通路の少なくとも一方に、前記密閉容器内の高圧冷媒により前記開閉弁の閉鎖力を増大させるための前記高圧冷媒を前記開閉弁の背面側端面に導く閉鎖補助構造がさらに形成されていることを特徴とするものである。
【手続補正７】
【補正対象書類名】明細書
【補正対象項目名】００２５
【補正方法】変更
【補正の内容】
【００２５】
つぎの発明にかかる冷媒圧縮機は、開閉弁が開閉動する弁通路を通って内部に冷媒が導入される密閉容器内に、前記導入された冷媒を圧縮する圧縮機構部と、前記圧縮機構部を駆動する電動機要素とを備えた高圧シェルタイプの冷媒圧縮機において、前記開閉弁に、前記密閉容器内の高圧冷媒により前記開閉弁の閉鎖力を増大させるための前記高圧冷媒を前記開閉弁の背面側端面に導く閉鎖補助構造を形成してなることを特徴とするものである。
【手続補正８】
【補正対象書類名】明細書
【補正対象項目名】００２７
【補正方法】変更
【補正の内容】
【００２７】
つぎの発明にかかる冷媒圧縮機は、上記の発明において、前記閉鎖補助構造が、前記開閉弁に形成された高圧冷媒導入孔または高圧冷媒導入溝であることを特徴とするものである。
【手続補正９】
【補正対象書類名】明細書
【補正対象項目名】００３１
【補正方法】変更
【補正の内容】
【００３１】
つぎの発明にかかる冷媒圧縮機は、開閉弁が開閉動する弁通路を通って内部に冷媒が導入される密閉容器内に、前記導入された冷媒を圧縮する圧縮機構部と、前記圧縮機構部を駆動する電動機要素とを備えた高圧シェルタイプの冷媒圧縮機において、前記弁通路に、前記密閉容器内の高圧冷媒により前記開閉弁の閉鎖力を増大させるための前記高圧冷媒を前記開閉弁の背面側端面に導く閉鎖補助構造を形成したことを特徴とするものである。
【手続補正１０】
【補正対象書類名】明細書
【補正対象項目名】００３３
【補正方法】変更
【補正の内容】
【００３３】
つぎの発明にかかる冷媒圧縮機は、上記の発明において、前記閉鎖補助構造が、前記弁通路に形成された高圧冷媒導入孔または高圧冷媒導入溝であることを特徴とするものである。